(57)【要約】【課題】  種類の同じ複数の記録層を有する光ディスクと種類の異なる複数の記録層を有する光ディスクとの間でディスクの種類を判別することが可能ディスク再生装置を提供する。【解決手段】  本発明に係るディスク再生装置は、ＲＦアンプ３において、光ピックアップ２の出力信号に基づきフォーカスエラー信号を生成し、ＤＳＰ４において、光ピックアップの合焦位置を一方向に変化させてフォーカスエラー信号のＳ字波形の振幅値を検出し、マイクロコンピュータ７において、検出された複数の振幅値の関係に基づき光ディスクの種類を判別する。【選択図】      図１
2006268958.tif 000002
【特許請求の範囲】
【請求項１】
光ディスクにレーザ光を照射する光ピックアップと、
光ピックアップの出力信号に基づいてフォーカスエラー信号を生成するフォーカスエラー信号生成手段と、
光ピックアップの合焦位置を一方向に変化させて、フォーカスエラー信号のＳ字波形の振幅値を検出する検出手段と、
検出された複数の振幅値の関係に基づいて光ディスクの種類を判別するディスク判別手段
とを具えていることを特徴とするディスク再生装置。
【請求項２】
２つの記録層を有する光ディスクの種類を判別することが可能であって、前記ディスク判別手段は、検出された２つ振幅値の内、小さい方の振幅値に対する大きい方の振幅値の比が所定値を下回る場合に、種類の同じ２つの記録層を有する光ディスクであると判定する一方、前記比が前記所定値を上回る場合に、種類の異なる２つの記録層を有する光ディスクであると判定する請求項１に記載のディスク再生装置。
【請求項３】
フォーカスエラー信号を増幅する増幅手段と、
前記増幅手段のゲインを調整することによってフォーカスエラー信号のＳ字波形の振幅値を規定値に設定するゲイン調整手段
とを具え、前記検出手段は、一方の記録層に対応する振幅値が前記規定値に設定された第１状態で他方の記録層に対応する振幅値を検出すると共に、該他方の記録層に対応する振幅値が前記規定値に設定された第２状態で前記一方の記録層に対応する振幅値を検出し、前記ディスク判別手段は、前記第１状態で検出された振幅値に対する前記規定値の比と前記第２状態で検出された振幅値に対する前記規定値の比とに基づいて光ディスクの種類を判別する請求項２に記載のディスク再生装置。
【請求項４】
前記ディスク判別手段は、
前記第１状態で検出された振幅値に対する前記規定値の比が前記所定値を上回るか否かを判断する手段と、
前記比が前記所定値を上回ると判断された場合に、種類の異なる２つの記録層を有する光ディスクであると判定する手段と、
前記比が前記所定値を下回ると判断された場合に、前記第２状態で検出された振幅値に対する前記規定値の比が前記所定値を上回るか否かを判断する手段と、
前記比が前記所定値を上回ると判断された場合に、種類の異なる２つの記録層を有する光ディスクであると判定する手段と、
前記比が前記所定値を下回ると判断された場合に、種類の同じ２つの記録層を有する光ディスクであると判定する手段
とを具えている請求項３に記載のディスク再生装置。
【請求項５】
光ディスクにレーザ光を照射する光ピックアップと、
光ピックアップの出力信号に基づいてフォーカスエラー信号を生成するフォーカスエラー信号生成手段と、
フォーカスエラー信号を増幅する増幅手段と、
前記増幅手段のゲインを調整することによってフォーカスエラー信号のＳ字波形の振幅値を規定値に設定するゲイン調整手段と、
光ディスクの複数の記録層に対応する複数の振幅値がそれぞれ前記規定値に設定されたときのゲイン値の関係に基づいて光ディスクの種類を判別するディスク判別手段
とを具えていることを特徴とするディスク再生装置。
【請求項６】
２つの記録層を有する光ディスクの種類を判別することが可能であって、前記ディスク判別手段は、一方の記録層に対応する振幅値が前記規定値に設定されたときのゲイン値と他方の記録層に対応する振幅値が前記規定値に設定されたときのゲイン値の内、小さい方のゲイン値に対する大きい方のゲイン値の比が所定値を下回る場合に、種類の同じ２つの記録層を有する光ディスクであると判定する一方、前記比が前記所定値を上回る場合に、種類の異なる２つの記録層を有する光ディスクであると判定する請求項５に記載のディスク再生装置。
【発明の詳細な説明】
【技術分野】
【０００１】
本発明は、ＣＤやＤＶＤ等の光ディスクから信号を再生することが可能なディスク再生装置に関するものである。
【背景技術】
【０００２】
従来、ＣＤ−ＤＡやＶＣＤ等のＣＤとＤＶＤ−Ｖｉｄｅｏ等のＤＶＤとを互換性をもって再生することが可能なＤＶＤプレーヤが知られているが、ＤＶＤレーザではＣＤを再生することが出来ず、ＣＤレーザではＤＶＤを再生することが出来ないため、先ず、何れの光ディスクであるかを判別する必要がある。
【０００３】
光ディスクの判別方法としては、光ピックアップから得られるＲＦ信号の周波数の違いに基づいて判別する方法が知られているが、判別に長い時間がかかる問題があった。
そこで、出願人は、光ピックアップの合焦点を探索するためのフォーカスサーチを実行して、フォーカスエラー信号のＳ字波形の振幅値に基づいて光ディスクの種類を判別する方法を出願中である(特許文献１及び２参照)。
図６は、ＣＤを対象としてフォーカスサーチを行なったときのフォーカスエラー信号のＳ字波形、図７は、ＤＶＤを対象としてフォーカスサーチを行なったときのフォーカスエラー信号のＳ字波形を表わしており、図６及び図７に示す如く、何れのフォーカスエラー信号も１つの振幅値を有している。ＣＤに対してＤＶＤ用レーザ光を照射した場合には、図６に示すフォーカスエラー信号の振幅値ｐｋ０は、ＣＤ用レーザ光を照射した場合に比べて小さくなり、ＤＶＤに対してＣＤ用レーザ光を照射した場合には、図７に示すフォーカスエラー信号の振幅値ｐｋ１は、ＤＶＤ用レーザ光を照射した場合に比べて小さくなる。そこで、光ディスクに対してＣＤ用レーザ光を照射したときの振幅値とＤＶＤ用レーザ光を照射したときの振幅値とが比較され、ＣＤ用レーザ光を照射したときの振幅値がＤＶＤ用レーザ光を照射したときの振幅値に比べて大きい場合にＣＤであると判断されるのに対し、ＤＶＤ用レーザ光を照射したときの振幅値がＣＤ用レーザ光を照射したときの振幅値に大きい場合にはＤＶＤであると判断される。
【０００４】
又、ＤＶＤには、ＤＶＤ−ＲＯＭ、ＤＶＤ―Ｒ、ＤＶＤ−ＲＷ、ＤＶＤ＋Ｒ、ＤＶＤ＋ＲＷ、ＤＶＤ−ＲＡＭ等、種々のＤＶＤが存在し、これら種々のＤＶＤの内、ＤＶＤ−ＲＯＭ、ＤＶＤ＋Ｒ、ＤＶＤ−Ｒは２つの記録層を有している。
そこで、１つの記録層を有するＤＶＤ(以下、単層ＤＶＤという)と２つの記録層を有するＤＶＤ(以下、二層ＤＶＤという)との間でディスクの種類を判別することが可能なディスク再生装置が知られている。
図８は、二層ＤＶＤを対象としてフォーカスサーチを行なったときのフォーカスエラー信号のＳ字波形を表わしており、図示の如く、該フォーカスエラー信号は、２つの記録層に対応して２つの振幅値を有している。そこで、フォーカスエラー信号のＳ字波形の振幅値が検出され、検出された振幅値が１つである場合に単層ＤＶＤであると判定されるのに対し、検出された振幅値が２つである場合には二層ＤＶＤであると判定される。
尚、出願人は、単層ＤＶＤと二層ＤＶＤとの間でディスクの種類を判別することが可能なディスク再生装置を出願中である(特許文献３参照)。
【０００５】
ところで、次世代ディスクとして、青色レーザ光を用いて記録及び再生を行なうディスクの開発が進められている。この種のディスクとして、ＨＤ−ＤＶＤ(High Density-DVD)と称されるディスクが知られており、該ＨＤ−ＤＶＤは、従来のＤＶＤと同様に、表面から０.６ｍｍの位置に記録層を有している。
そこで、近年、従来のＤＶＤの規格に準拠した記録層(以下、ＤＶＤ層という)と、ＨＤ−ＤＶＤの規格に準拠した記録層(以下、ＨＤ−ＤＶＤ層という)とを有するハイブリッドＤＶＤが開発された。
単層ＤＶＤと二層ＤＶＤとの間でディスクの種類を判別することが可能な上記従来のディスク再生装置においては、ハイブリッドＤＶＤを装置本体に装填した場合、フォーカスエラー信号の振幅値が２つ検出されて二層ＤＶＤと判定され、その後、赤色レーザ光を発するＤＶＤレーザを用いて再生が開始されることになる。
【０００６】
【特許文献１】特開平１１−６６７１２号公報
【特許文献２】特願２００２−００２４４４の明細書
【特許文献３】特願２００３−０２４５１７の明細書
【発明の開示】
【発明が解決しようとする課題】
【０００７】
しかしながら、上記従来のディスク再生装置においては、ＨＤ−ＤＶＤ層から正常な再生信号が得られないため、不正なディスクであるとして再生動作が停止され、本来は再生可能なＤＶＤ層の再生が出来ない問題があった。
本発明の目的は、種類の同じ複数の記録層を有する光ディスクと種類の異なる複数の記録層を有する光ディスクとの間でディスクの種類を判別することが可能ディスク再生装置を提供することである。
【課題を解決するための手段】
【０００８】
本発明に係る第１のディスク再生装置は、
光ディスクにレーザ光を照射する光ピックアップと、
光ピックアップの出力信号に基づいてフォーカスエラー信号を生成するフォーカスエラー信号生成手段と、
光ピックアップの合焦位置を一方向に変化させて、フォーカスエラー信号のＳ字波形の振幅値を検出する検出手段と、
検出された複数の振幅値の関係に基づいて光ディスクの種類を判別するディスク判別手段
とを具えている。
【０００９】
上記ディスク再生装置は、２つの記録層を有する光ディスクの種類を判別することが可能であって、前記ディスク判別手段は、検出された２つ振幅値の内、小さい方の振幅値に対する大きい方の振幅値の比が所定値を下回る場合に、種類の同じ２つの記録層を有する光ディスクであると判定する一方、前記比が前記所定値を上回る場合に、種類の異なる２つの記録層を有する光ディスクであると判定する。
【００１０】
光ディスクが種類の同じ２つのＤＶＤ層を有する二層ＤＶＤ、及びＤＶＤ層とＨＤ−ＤＶＤ層とを有するハイブリッドＤＶＤの何れのディスクであっても、２つの記録層に対応して、フォーカスエラー信号の振幅値が２つ検出されることになる。
二層ＤＶＤの規格においては、２つの記録層の反射率はそれぞれ１８〜３０％と定められており、両記録層の反射率の差が小さいため、一方の記録層に対応する振幅値と他方の記録層に対応する振幅値との差が小さくなり、小さい方の振幅値に対する大きい方の振幅値の比は２倍程度と小さくなる。これに対し、ハイブリッドＤＶＤにおいては、両記録層の反射率の差が大きいため、一方の記録層に対応する振幅値と他方の記録層に対応する振幅値との差が大きくなり、小さい方の振幅値に対する大きい方の振幅値の比は１０倍程度と大きくなる。
従って、前記所定値を例えば３に設定し、検出された２つの振幅値の内、小さい方の振幅値に対する大きい方の振幅値の比をとって、該比が所定値を下回れば二層ＤＶＤ、所定値を上回ればハイブリッドＤＶＤであると判定することが出来る。
【００１１】
具体的には、
フォーカスエラー信号を増幅する増幅手段と、
前記増幅手段のゲインを調整することによってフォーカスエラー信号のＳ字波形の振幅値を規定値に設定するゲイン調整手段
とを具え、前記検出手段は、一方の記録層に対応する振幅値が前記規定値に設定された第１状態で他方の記録層に対応する振幅値を検出すると共に、該他方の記録層に対応する振幅値が前記規定値に設定された第２状態で前記一方の記録層に対応する振幅値を検出し、前記ディスク判別手段は、前記第１状態で検出された振幅値に対する前記規定値の比と前記第２状態で検出された振幅値に対する前記規定値の比とに基づいて光ディスクの種類を判別する。
【００１２】
又、前記ディスク判別手段は、
前記第１状態で検出された振幅値に対する前記規定値の比が前記所定値を上回るか否かを判断する手段と、
前記比が前記所定値を上回ると判断された場合に、種類の異なる２つの記録層を有する光ディスクであると判定する手段と、
前記比が前記所定値を下回ると判断された場合に、前記第２状態で検出された振幅値に対する前記規定値の比が前記所定値を上回るか否かを判断する手段と、
前記比が前記所定値を上回ると判断された場合に、種類の異なる２つの記録層を有する光ディスクであると判定する手段と、
前記比が前記所定値を下回ると判断された場合に、種類の同じ２つの記録層を有する光ディスクであると判定する手段
とを具えている。
【００１３】
上記具体的構成においては、フォーカスエラー信号が歪まず、且つ、その振幅値が検出可能な範囲に収まるよう、増幅手段のゲインが調整され、これによってフォーカスエラー信号の振幅値が規定値に設定される。
一方の記録層に対応する振幅値が他方の記録層に対応する振幅値よりも大きいハイブリッドＤＶＤである場合には、該一方の記録層に対応する振幅値を前記規定値に設定したとき、前記他方の記録層に対応する振幅値に対する該一方の記録層に対応する振幅値の比は、前記所定値を上回ることとなる。
これに対し、前記一方の記録層に対応する振幅値が前記他方の記録層に対応する振幅値よりも小さいハイブリッドＤＶＤ、或いは二層ＤＶＤである場合には、前記他方の記録層に対応する振幅値に対する前記一方の記録層に対応する振幅値の比は、前記所定値を下回ることになる。
そして、前記一方の記録層に対応する振幅値が前記他方の記録層に対応する振幅値よりも小さいハイブリッドＤＶＤである場合には、該他方の記録層に対応する振幅値を前記規定値に設定したとき、前記一方の記録層に対応する振幅値に対する該他方の記録層に対応する振幅値の比は、前記所定値を上回ることになる。一方、二層ＤＶＤである場合には、前記一方の記録層に対応する振幅値に対する前記他方の記録層に対応する振幅値の比は、前記所定値を下回ることになる。
【００１４】
本発明に係る第２のディスク再生装置は、
光ディスクにレーザ光を照射する光ピックアップと、
光ピックアップの出力信号に基づいてフォーカスエラー信号を生成するフォーカスエラー信号生成手段と、
フォーカスエラー信号を増幅する増幅手段と、
前記増幅手段のゲインを調整することによってフォーカスエラー信号のＳ字波形の振幅値を規定値に設定するゲイン調整手段と、
光ディスクの複数の記録層に対応する複数の振幅値がそれぞれ前記規定値に設定されたときのゲイン値の関係に基づいて光ディスクの種類を判別するディスク判別手段
とを具えている。
【００１５】
具体的には、２つの記録層を有する光ディスクの種類を判別することが可能であって、前記ディスク判別手段は、一方の記録層に対応する振幅値が前記規定値に設定されたときのゲイン値と他方の記録層に対応する振幅値が前記規定値に設定されたときのゲイン値の内、小さい方のゲイン値に対する大きい方のゲイン値の比が所定値を下回る場合に、種類の同じ２つの記録層を有する光ディスクであると判定する一方、前記比が前記所定値を上回る場合に、種類の異なる２つの記録層を有する光ディスクであると判定する。
【００１６】
上記ディスク再生装置においては、フォーカスエラー信号が歪まず、且つ、その振幅値が検出可能な範囲に収まるよう、増幅手段のゲインが調整され、これによってフォーカスエラー信号の振幅値が規定値に設定される。従って、フォーカスエラー信号の２つの振幅値の内、小さい方の振幅値に対する大きい方の振幅値の比と、大きい方の振幅値が前記規定値に設定されたときのゲイン値に対する小さい方の振幅値が前記規定値に設定されたときのゲイン値の比は等しくなる。
又、上述の如く、二層ＤＶＤについてのフォーカスエラー信号においては、小さい方の振幅値に対する大きい方の振幅値の比は２倍程度と小さくなるのに対し、ハイブリッドＤＶＤについてのフォーカスエラー信号においては、小さい方の振幅値に対する大きい方の振幅値の比は１０倍程度と大きくなる。
従って、前記所定値を例えば３に設定し、小さい方のゲイン値に対する大きい方のゲイン値の比をとって、該比が所定値を下回れば二層ＤＶＤ、所定値を上回ればハイブリッドＤＶＤであると判定することが出来る。
【発明の効果】
【００１７】
本発明に係るディスク再生装置によれば、種類の同じ複数の記録層を有する光ディスクと種類の異なる複数の記録層を有する光ディスクとの間でディスクの種類を判別することが出来る。
【発明を実施するための最良の形態】
【００１８】
以下、本発明を、ＣＤ及びＤＶＤを再生することが可能なＤＶＤプレーヤに実施した形態につき、図面に沿って具体的に説明する。
本発明に係るＤＶＤプレーヤは、図１に示す如く、光ディスク(１)の信号面に対向して配備された光ピックアップ(２)と、光ディスク(１)を回転駆動するスピンドルモータ(５)と、光ピックアップ(２)のフォーカシング機構を駆動すると共にスピンドルモータ(５)を駆動するドライブ回路(６)と、光ピックアップ(２)の出力信号からＲＦ信号及びフォーカスエラー信号を生成するＲＦアンプ(３)と、ＲＦアンプ(３)からＲＦ信号に基づいてスピンドルサーボを実行すると共にＲＦアンプ(３)から得られるフォーカスエラー信号に基づいてフォーカスサーボを実行するＤＳＰ(４)とを具えている。ＲＦアンプ(３)及びＤＳＰ(４)には、マイクロコンピュータ(７)が接続されている。
光ピックアップ(２)は、ＣＤに照射すべき赤色レーザ光を発するＣＤレーザと、単層ＤＶＤ、二層ＤＶＤ及びハイブリッドＤＶＤのＤＶＤ層に照射すべき赤色レーザ光を発するＤＶＤレーザとを具えている。
【００１９】
マイクロコンピュータ(７)は、ディスクの判別に際して、ＤＳＰ(４)にフォーカスサーチ指令を発し、ＤＳＰ(４)は該指令を受けてドライブ回路(６)にフォーカスドライブ信号を供給する。これに応じて、ドライブ回路(６)は光ピックアップ(２)を駆動する。又、ＤＳＰ(４)は、ＲＦアンプ(３)から得られるフォーカスエラー信号のＳ字波形の振幅値を検出して、その結果をマイクロコンピュータ(７)に供給し、マイクロコンピュータ(７)は、その結果に基づいてディスクの判別を行なう。
又、マイクロコンピュータ(７)は、ＤＳＰ(４)のＤ／Ａ変換器(図示省略)の出力値を設定し、これによって、該出力値に応じた大きさのＳＧＣ(Signal  Gain  Control)電圧がＲＦアンプ(３)に印加される。ＲＦアンプ(３)のＳＧＣゲインは、該ＳＧＣ電圧の大きさに応じて変化する。
【００２０】
図２及び図３は、上記ＤＶＤプレーヤにおいて実行されるディスク判別手続きを表わしており、先ず、図２のステップＳ１にてＣＤレーザをオンに設定した後、ステップＳ２では、ＲＦアンプ(３)のＳＧＣゲインをＣＤレーザによるディスク判別を行なうための所定値ＣＤＧｊに設定する。該所定値ＣＤＧｊは、光ピックアップ(２)の出力のバラツキやその他の回路の特性のバラツキ等に拘わらず、ＣＤ−ＲＷ、ＤＶＤ−ＲＷ、ＤＶＤ＋ＲＷ、二層ＤＶＤ等の反射率の低いディスクについてもフォーカスエラー信号のＳ字波形の振幅値の検出が可能な値に設定される。
次にステップＳ３では、フォーカスサーチを実行してフォーカスエラー信号のＳ字波形の振幅値ｐｋ０を検出した後、ステップＳ４にてＣＤレーザをオフに設定する。
【００２１】
続いてステップＳ５では、ＤＶＤレーザをオンに設定した後、ステップＳ６にて、ＲＦアンプ(３)のＳＧＣゲインをＤＶＤレーザによるディスク判別を行なうための所定値ＤＶＤＧｊに設定する。該所定値ＤＶＤＧｊは、光ピックアップ(２)の出力のバラツキやその他の回路の特性のバラツキ等に拘わらず、反射率の低いディスクについてもフォーカスエラー信号のＳ字波形の振幅値の検出が可能な値に設定される。
次にステップＳ７では、フォーカスサーチを実行してフォーカスエラー信号のＳ字波形の２つの振幅値ｐｋ１、ｐｋ２を検出する。
【００２２】
その後、図３のステップＳ８では、上述の如くＣＤレーザのオン時に検出した振幅値ｐｋ０がＤＶＤレーザのオン時に検出した２つの振幅値ｐｋ１、ｐｋ２よりも大きいか否かを判断する。ここで、ＣＤに対してＣＤレーザを照射した場合の振幅値はＤＶＤレーザを照射した場合に比べて大きくなるので、イエスと判断された場合は、ステップＳ９にて光ディスクはＣＤであると判定する。続いてステップＳ１２では、フォーカスエラー信号の振幅値が規定値となるようＲＦアンプ(３)のＳＧＣゲインを調整して、手続きを終了する。この様に、ＳＧＣゲインを調整する理由は、ディスク判別を行なうための前記所定値ＣＤＧｊ、ＤＶＤＧｊは、上述の如く反射率の低いディスクについてもフォーカスエラー信号のＳ字波形の振幅値を検出できるよう大きな値に設定されているため、フォーカスエラー信号が歪むことや、フォーカスエラー信号の振幅値がＤＳＰ(４)のＡ／Ｄ変換器(図示省略)の最大出力値を超えて実際の振幅値が得られないことがあるからである。前記規定値は、例えば１.８Ｖに設定される。
【００２３】
これに対し、ステップＳ８にてノーと判断された場合には、ステップＳ１０に移行して、ＤＶＤレーザのオン時に検出した２つの振幅値ｐｋ１、ｐｋ２が共に０よりも大きいか否かを判断する。ここで、単層ＤＶＤの場合は、２つの振幅値ｐｋ１、ｐｋ２の内、一方の振幅値ｐｋ２は０となるので、ノーと判断された場合は、ステップＳ１１にて光ディスクは単層ＤＶＤであると判定する。その後、ステップＳ１２に移行し、フォーカスエラー信号の振幅値が前記規定値となるようＲＦアンプ(３)のＳＧＣゲインを調整して、手続きを終了する。
【００２４】
上記ステップＳ１０にてイエスと判断された場合には、ステップＳ１３に移行し、フォーカスサーチを実行して、フォーカスエラー信号の２つの振幅値ｐｋ１、ｐｋ２の内、一方の記録層(レイヤ０)に対応する振幅値ｐｋ１が前記規定値となるようＲＦアンプ(３)のＳＧＣゲインを調整した後、他方の記録層(レイヤ１)に対応する振幅値ｐｋ２を検出する。
【００２５】
次にステップＳ１４では、レイヤ０に対応する振幅値ｐｋ１、即ち前記規定値がレイヤ１に対応する振幅値ｐｋ２の３倍を上回る値であるか否かを判断する。
図４は、二層ＤＶＤを対象としてフォーカスサーチを行なったときのフォーカスエラー信号のＳ字波形、図５は、ハイブリッドＤＶＤを対象としてフォーカスサーチを行なったときのフォーカスエラー信号のＳ字波形を表わしている。二層ＤＶＤの規格においては、２つの記録層の反射率はそれぞれ１８〜３０％と定められており、両記録層の反射率の差が小さいため、図４に示す如く一方の記録層に対応する振幅値ｐｋ１と他方の記録層に対応する振幅値ｐｋ２との差が小さくなり、小さい方の振幅値ｐｋ２に対する大きい方の振幅値ｐｋ１の比は２倍程度と３よりも小さくなる。これに対し、ハイブリッドＤＶＤにおいては、両記録層の反射率の差が大きいため、図５に示す如く一方の記録層に対応する振幅値ｐｋ１と他方の記録層に対応する振幅値ｐｋ２との差が大きくなり、小さい方の振幅値ｐｋ２に対する大きい方の振幅値ｐｋ２の比は１０倍程度と３よりも大きくなる。
従って、レイヤ０に対応する振幅値ｐｋ１がレイヤ１に対応する振幅値ｐｋ２よりも大きいハイブリッドＤＶＤである場合には、レイヤ０に対応する振幅値ｐｋ１がレイヤ１に対応する振幅値ｐｋ２の３倍を上回ってステップＳ１４にてイエスと判断されることとなり、ステップＳ１８にて光ディスクはハイブリッドＤＶＤであると判定して、手続きを終了する。
【００２６】
これに対し、レイヤ０に対応する振幅値ｐｋ１がレイヤ１に対応する振幅値ｐｋ２よりも小さいハイブリッドＤＶＤ、或いは二層ＤＶＤである場合には、ステップＳ１４にてノーと判断されてステップＳ１５に移行し、フォーカスサーチを実行して、フォーカスエラー信号の２つの振幅値ｐｋ１、ｐｋ２の内、レイヤ１に対応する振幅値ｐｋ２が前記規定値となるようＲＦアンプ(３)のＳＧＣゲインを調整した後、レイヤ０に対応する振幅値ｐｋ１を検出する。
【００２７】
次にステップＳ１６では、レイヤ１に対応する振幅値ｐｋ２、即ち前記規定値がレイヤ０に対応する振幅値ｐｋ１の３倍を上回る値であるか否かを判断する。
ここで、レイヤ０に対応する振幅値ｐｋ１がレイヤ１に対応する振幅値ｐｋ２よりも小さいハイブリッドＤＶＤである場合には、レイヤ１に対応する振幅値ｐｋ２がレイヤ０に対応する振幅値ｐｋ１の３倍を上回ってイエスと判断されることとなり、ステップＳ１８にて光ディスクはハイブリッドＤＶＤであると判定して、手続きを終了する。
一方、二層ＤＶＤである場合には、レイヤ１に対応する振幅値ｐｋ２がレイヤ０に対応する振幅値ｐｋ１の３倍を下回ってステップＳ１６にて判断されることとなり、ステップＳ１７にて光ディスクは二層ＤＶＤであると判定して、手続きを終了する。
【００２８】
上記手続きによれば、ＣＤ、単層ＤＶＤ、二層ＤＶＤ及びハイブリッドＤＶＤの間で光ディスクの種類を判別することが出来る。
上述の如く光ディスクの種類が判別された後、従来と同様に、フォーカスイン動作等の所定の動作が行なわれ、その後、ディスクの再生が行なわれる。
【００２９】
尚、本発明の各部構成は上記実施の形態に限らず、特許請求の範囲に記載の技術的範囲内で種々の変形が可能である。
例えば、一方の記録層に対応する振幅値が規定値となるようＲＦアンプ(３)のＳＧＣゲインを調整すると共に他方の記録層に対応する振幅値が該規定値となるようＲＦアンプ(３)のＳＧＣゲインを調整し、２つの記録層に対応する振幅値がそれぞれ前記規定値に設定されたときのＳＧＣゲインの値の関係に基づいて、二層ＤＶＤとハイブリッドＤＶＤとの間でディスクの種類を判別することも可能である。例えば、一方の記録層に対応する振幅値が前記規定値に設定されたときのＳＧＣゲインの値と他方の記録層に対応する振幅値が前記規定値に設定されたときのＳＧＣゲインの値の内、小さい方のゲイン値に対する大きい方のゲイン値の比が所定値を下回る場合に二層ＤＶＤであると判定される一方、前記比が前記所定値を上回る場合にハイブリッドＤＶＤであると判定される。
又、本発明は、ハイブリッドＤＶＤのＨＤ−ＤＶＤ層に照射すべき青色レーザ光を発するレーザを具えてＨＤ−ＤＶＤ層の再生を行なうことが可能なディスク再生装置に実施することも可能である。
【図面の簡単な説明】
【００３０】
【図１】本発明を実施したＤＶＤプレーヤの構成を表わすブロック図である。
【図２】上記ＤＶＤプレーヤにおいて実行されるディスク判別手続きの前半を表わすフローチャートである。
【図３】上記手続きの後半を表わすフローチャートである。
【図４】二層ＤＶＤを対象としてフォーカスサーチを行なったときのフォーカスエラー信号のＳ字波形を表わす波形図である。
【図５】ハイブリッドＤＶＤを対象としてフォーカスサーチを行なったときのフォーカスエラー信号のＳ字波形を表わす波形図である。
【図６】ＣＤを対象としてフォーカスサーチを行なったときのフォーカスエラー信号のＳ字波形を表わす波形図である。
【図７】単層ＤＶＤを対象としてフォーカスサーチを行なったときのフォーカスエラー信号のＳ字波形を表わす波形図である。
【図８】二層ＤＶＤを対象としてフォーカスサーチを行なったときのフォーカスエラー信号のＳ字波形を表わす波形図である。
【符号の説明】
【００３１】
(１)  光ディスク
(２)  光ピックアップ
(３)  ＲＦアンプ
(４)  ＤＳＰ
(５)  スピンドルモータ
(６)  ドライブ回路
(７)  マイクロコンピュータ
【図１】
2006268958.tif 000003
【図２】
2006268958.tif 000004
【図３】
2006268958.tif 000005
【図４】
2006268958.tif 000006
【図５】
2006268958.tif 000007
【図６】
2006268958.tif 000008
【図７】
2006268958.tif 000009
【図８】
2006268958.tif 000010